(57)【要約】【課題】  帽子に腰とつば又はひさしのある帽子で、顎紐がどんな時でも、視界を妨げる事がなく、音を聞き取る障害となる感じもなく、通常帽子を被る動作と、ともに利用しながら、強風等の時に、帽子が吹き飛ばされて、なくなってしまうような心配のない帽子を提供する。【解決手段】  帽子の顎紐の帽子への支点を、帽子の腰の下周縁又はつばの内周縁で、腰の側面の前後の中央又は、つばの横平面の前後の中央より２ｃｍ後方から６ｃｍ後方の間に設け、顎紐が耳の後方を通した帽子。【選択図】図１
2009275336.tif 000002
【特許請求の範囲】
【請求項１】
顎紐（６）の帽子への支点（５）を腰（１）の下周縁又はつば（２）の内周縁で、腰（１）の側面の前後の中央（４）又はつば（２）の横平面の前後の中央（４）より２ｃｍ後方から６ｃｍ後方の間に設け、顎紐（６）が耳の後方を通した帽子。
【請求項２】
腰（１）の下周縁又はつば（２）の内周縁で、腰（１）の側面の前後の中央（４）又はつば（２）の横平面の前後の中央（４）から８ｃｍ後方までの間に、顎紐（６）の帽子への支点（５）を変更する支点変更紐（７）をＶ形に設け、その支点変更紐（７）の最下端に顎紐（６）を固定し、顎紐（６）が耳の後方を通した帽子。
【請求項３】
腰（１）の下周縁又はつば（２）の内周縁で、腰（１）の側面の前後の中央（４）又はつば（２）の横平面の前後の中央（４）から６ｃｍ後方までの間に、顎紐（６）の帽子への支点（５）を変更する支点変更帯（８）を設け、その支点変更帯（８）の前端より２ｃｍ後方から６ｃｍ後方の間に顎紐（６）を固定し、顎紐（６）が耳の後方を通した帽子。
【請求項４】
腰（１）の下周縁又はつば（２）の内周縁で、腰（１）の側面の前後の中央（４）又はつば（２）の横平面の前後の中央（４）より２ｃｍ後方から６ｃｍ後方の間を顎紐（６）の帽子への支点（５）が前後に移動できる、支点移動部（９）を設け、その帽子への支点（５）に顎紐（６）を固定し、顎紐（６）が耳の後方を通した帽子。
【請求項５】
顎紐（６）の帽子への支点（５）が前後に移動できる、支点移動部（９）を紐（１０）又は帯（１１）とし、その紐（１０）又は帯（１１）に、前後に移動できるように金属（１２）、プラスチック（１３）又は顎紐（６）を巻き付け、巻き付けた金属（１２）又はプラスチック（１３）には、顎紐（６）を固定した請求項４記載の帽子。
【請求項６】
顎紐（６）の帽子への支点（５）が前後に移動できる、支点移動部（９）を断面コ字形のレール（１６）とし、断面コ字形のレール（１６）の内部に断面ト字形の移動体（１７）を設け、断面コ字形のレール（１６）を食み出した断面ト字形の移動体先端部（１８）に顎紐（６）を固定した請求項４記載の帽子。
【請求項７】
顎紐（６）の帽子への支点（５）が前後に移動できる、支点移動部（９）をファスナー又はチャック（１９）とし、顎紐（６）をファスナー又はチャック（１９）を動かす鈕（２０）に固定した請求項４記載の帽子。
【発明の詳細な説明】
【技術分野】
【０００１】  本発明は、帽子に腰とつば又はひさしのある帽子で、帽子が風等に吹き飛ばされてしまわないように対策を設けた帽子に関するものである。
【背景技術】
【０００２】  従来、帽子が風等に吹き飛ばされてしまわない対策として、帽子の腰１の下周縁又はつば２の内周縁で、腰１の側面の前後の中央４又はつば２の横平面の前後の中央４を顎紐６の帽子への支点５とし、左、右の顎紐６を耳の前方を通し、顎を巻くように顎紐６を設けている。
しかし、顎紐６は、長時間の使用には強く締めれば窮屈となり、少し緩めて使用する事がある。そのような時、顔を俯けた時に顎紐６が顔の前に垂れ下がり、うっとうしく感じる事がある。【０００３】  その解決のために、帽子の腰１の下周縁後方に一本の紐の端を固定し、反対側の紐の端に発条挟みを固定し、その発条挟みで衣服を挟み付け、帽子が風等に吹き飛ばされた時の対策としている物がある。又、腰１の下周縁で、腰１の側面の前後の中央４に固定された左、右の顎紐６を左、右の耳の上を通して後方に回し、その左、右の顎紐６の端に１つの発条挟みを固定し、その発条挟みで衣服を挟み付け、帽子が風等に吹き飛ばされた時の対策としている物もある（特許文献１参照）。
【特許文献１】  意匠登録第１０６３６００号広報
【発明の開示】
【発明が解決しようとする課題】
【０００４】  そのために、次のような問題点があった。
従来の帽子の顎紐６が顔の前に垂れ下がり、うっとうしく感じる事がある状態をよく観察すると、イ、顎紐６が目の前まで垂れ下がってしまい、視界の妨げとなる。ロ、顎紐６が耳の前方を通っているために、音を聞き取る障害となる感じがある。その解決のために考えられた、発条挟みで衣服を挟みつける方法は、ハ、衣服に挟み付ける手間がかかる。ニ、確実に衣服に挟み付けていない時に、風等に吹き飛ばされてしまう事がある。
又、顎紐６の使用状態をよく観察すると、強風等に対して、頭に確りと帽子を固定する事よりも、強風等の時に、帽子が吹き飛ばされて、なくなってしまう事の防止のために利用される事の方が多い。
本発明が解決しようとする課題は、どんな時でも、顎紐６が視界を妨げる事がなく、音を聞き取る障害となる感じもなく、通常帽子を被る動作と、ともに利用しながら、強風等の時に帽子が吹き飛ばされて、なくなってしまうような心配がない事を達成するにある。
【課題を解決するための手段】
【０００５】  請求項１に係る帽子では、顎紐６の帽子への支点５を腰１の下周縁又はつば２の内周縁で、腰１の側面の前後の中央４又はつば２の横平面の前後の中央４より２ｃｍ後方から６ｃｍ後方の間に設け、顎紐６が耳の後方を通した帽子である。
帽子を被る時に、帽子を頭の上から被せる。その時、顎紐６の帽子への支点５は耳の後方上となるために、顎紐６は帽子を被る動作と、ともに耳の後方を通す事になる。顎紐６をどんなに緩めて使用し、顔を俯けたとしても、顎紐６は耳の後と下に引っ掛かり、目の前まで垂れ下がる事はない。又、顎紐６は耳の後方を通しているので、音を聞き取る障害となる感じもない。さらに、左、右の顎紐６で顎を巻いているので、どんな強風等でも帽子が吹き飛ばされて、なくなってしまうような心配はない。【０００６】  請求項２に係る帽子では、腰１の下周縁又はつば２の内周縁で、腰１の側面の前後の中央４又はつば２の横平面の前後の中央４から８ｃｍ後方までの間に、顎紐６の帽子への支点５を変更する支点変更紐７をＶ形に設け、その支点変更紐７の最下端に顎紐６を固定し、顎紐６が耳の後方を通した帽子である。
従来の帽子が、腰１の下周縁又はつば２の内周縁で、腰１の側面の前後の中央４又はつば２の横平面の前後の中央４を顎紐６の帽子への支点５としているのは、顎紐６の帽子に伝わる力を均等に配分させようとするためと思われる。本発明の帽子では、顎紐６の帽子に伝わる力を均等に配分させようとする事と、顎紐６の帽子への支点５を耳の後方上にする事の両方を達成しようとするものである。【０００７】  請求項３に係る帽子では、腰１の下周縁又はつば２の内周縁で、腰１の側面の前後の中央４又はつば２の横平面の前後の中央４から６ｃｍ後方までの間に、顎紐６の帽子への支点５を変更する支点変更帯８を設け、その支点変更帯８の前端より２ｃｍ後方から６ｃｍ後方の間に顎紐６を固定し、顎紐６が耳の後方を通した帽子である。
前記、請求項２に係る帽子と同じ目的を達成しようとするものである。【０００８】  請求項４に係る帽子では、腰１の下周縁又はつば２の内周縁で、腰１の側面の前後の中央４又はつば２の横平面の前後の中央４より２ｃｍ後方から６ｃｍ後方の間を顎紐６の帽子への支点５が前後に移動できる、支点移動部９を設け、その帽子への支点５に顎紐６を固定し、顎紐６が耳の後方を通した帽子である。
顎紐６の帽子への支点５が前後に移動できる事で、人によって違う頭の形や耳の位置に、顎紐６が耳の後によく接触させながら耳の後方を通し、顎を巻く事ができる。【０００９】  請求項５に係る帽子では、顎紐６の帽子への支点５が前後に移動できる、支点移動部９を紐１０又は帯１１とし、その紐１０又は帯１１に、前後に移動できるように金属１２、プラスチック１３又は顎紐６を巻き付け、巻き付けた金属１２又はプラスッチク１３には、顎紐６を固定した請求項４記載の帽子である。
より簡単に、請求項４記載の支点移動部９を設ける事ができる。【００１０】  請求項６に係る帽子では、顎紐６の帽子への支点５が前後に移動できる、支点移動部９を断面コ字形のレール１６とし、断面コ字形のレール１６の内部に断面ト字形の移動体１７を設け、断面コ字形のレール１６を食み出した断面ト字形の移動体先端部１８に顎紐６を固定した請求項４記載の帽子である。
請求項４記載の支点移動部９の帽子への支点５が、上、下に振れの少ない帽子への支点５とする事ができる。【００１１】  請求項７に係る帽子では、顎紐６の帽子への支点５が前後に移動できる、支点移動部９をファスナー又はチャック１９とし、顎紐６をファスナー又はチャック１９を動かす鈕２０に固定した請求項４記載の帽子である。
請求項４記載の支点移動部９の帽子への支点５を、任意の地点で止めながら、変更をしていく事ができる。
【発明の効果】
【００１２】  本発明を使用する時は、帽子を頭に乗せ、帽子を被る動作と、ともに、顎紐６は耳の後方を通し、顎を巻く。顎紐６は耳の後方を通しているので、音を聞き取る障害となる感じはない。又、顎紐６は左、右から顎を巻いているので、どんな強風等でも、帽子が吹き飛ばされて、なくなってしまう心配がない。
従来の帽子の顎紐６を、どの程度緩めて使用し、どの程度顔を俯けた時に、どの程度視界の妨げとなり、うっとうしく感じる事になるのか、本発明の帽子が、その問題点をどのように解決しているのかを表１によって明らかとする。【００１３】
【表１】
2009275336.tif 000003
従来の帽子では、顎紐６と顎の先端との隙間が２ｃｍを超えると、顔を垂直にした状態を０度とし、顔を４５度俯けた時顎紐６は鼻の先端まで垂れ下がり、９０度俯けた時目の前まで垂れ下がり、視界の妨げとなり、うっとうしく感じる。
本発明の帽子では、顎紐６をどんなに緩めて使用しても、顔を俯けた時には、顎紐６は耳の後と下に引っ掛かり、鼻の先端より前に出て視界を妨げるような事はない。
【発明を実施するための最良の形態】
【００１４】  本発明を実施するための最良の形態を図１及び図２に基づいて説明する。
図１及び図２は側面図である。
顎紐６の帽子への支点５を腰１の下周縁又はつば２の内周縁で、腰１の側面の前後の中央４又はつば２の横平面の前後の中央４より２ｃｍ後方から６ｃｍ後方の間とし、顎紐６を縫合又は貫設等で固定する。
使用法は、これまでの説明で明らかであるから省く。
【実施例１】
【００１５】  実施例１を図３及び図４に基づいて説明する。
図３及び図４は側面図である。
支点変更紐７をＶ形に設けるために、支点変更紐７のＶ形の上端を、腰１の下周縁又はつば２の内周縁で、腰１の側面の前後の中央４又はつば２の横平面の前後の中央４に縫合又は貫設等によって固定する。もう一方の上端は、それより４ｃｍ後方から８ｃｍ後方の間の腰１の下周縁又はつば２の内周縁に縫合又は貫設等によって固定する。顎紐６は、支点変更紐７のＶ形の最下端に結着し、帽子への支点５とする。
使用法は、これまでの説明で明らかであるから省く。
【実施例２】
【００１６】  実施例２を図５及び図６に基づいて説明する。
図５及び図６は側面図である。
腰１の下周縁又はつば２の内周縁で、腰１の側面の前後の中央４又はつば２の横平面の前後の中央４に、支点変更帯８の前端を縫合、貫設又は接着等で固定する。その後端は、それより６ｃｍ後方の腰１の下周縁又はつば２の内周縁に縫合、貫設又は接着等で固定する。又は、支点変更帯８の長手方向と、腰１の下周縁又はつば２の内周縁に沿って縫合又は接着してもよい。顎紐６は、支点変更帯８の前端より２ｃｍ後方から６ｃｍ後方の間の支点変更帯８に縫合又は貫設等で固定し、帽子への支点５とする。
支点変更帯８は、顎紐６の吊下に耐える強度のあるプラスチック帯又は布帯でよい。
使用法は、これまでの説明で明らかであるから省く。
【実施例３】
【００１７】  実施例３を図７及び図８に基づいて説明する。
図７及び図８は側面図である。
腰１の下周縁又はつば２の内周縁で、腰１の側面の前後の中央４又はつば２の横平面の前後の中央４に支点移動部９の前端を固定し、その後端は、それより６ｃｍ後方の腰１の下周縁又はつば２の内周縁に固定する。前後に移動できる顎紐６の帽子への支点５は、支点移動部９の前端より２ｃｍ後方から６ｃｍ後方までの間とし、支点移動部９に設ける。
使用法は、これまでの説明で明らかであるから省く。
【実施例４】
【００１８】  実施例４を図７、図８、図９、図１０及び図１１に基づいて説明する。
図７及び図８は側面図である。図９は要部拡大斜視図である。図１０は要部拡大側面図である。図１１は図１０のＡ−Ａ断面図である。
支点移動部９を紐１０又は帯１１とし、その前端を腰１の下周縁又はつば２の内周縁で、腰１の側面の前後の中央４又はつば２の横平面の前後の中央４に縫合又は貫設等で固定し、その後端は、それより６ｃｍ後方の腰１の下周縁又はつば２の内周縁に縫合又は貫設等で固定する。固定された紐１０又は帯１１に、前後に移動できるように金属１２、プラスチック１３又は顎紐６を巻き付け、帽子への支点５とする。巻き付けた金属１２又はプラスチック１３には、顎紐６を縫合又は貫設等で支持部１４に固定する。
紐１０又は帯１１の前端より２ｃｍ後方に移動止め１５を設ける。
紐１０又は帯１１は顎紐６の吊下に耐える強度のある紐、プラスチック帯又は布帯でよい。
使用法は、これまでの説明で明らかであるから省く。
【実施例５】
【００１９】  実施例５を図７、図８、図１２及び図１３に基づいて説明する。
図７及び図８は側面図である。図１２は要部拡大側面図である。図１３は図１２のＡ−Ａ断面図である。
支点移動部９を断面コ字形のレール１６とし、その前端を腰１の下周縁又はつば２の内周縁で、腰１の側面の前後の中央４又はつば２の横平面の前後の中央４に縫合、貫設又は接着等で固定し、その後端は、それより６ｃｍ後方の腰１の下周縁又はつば２の内周縁に縫合、貫設又は接着等で固定する。固定された断面コ字形のレール１６の内部に断面ト字形の移動体１７を設け、顎紐６は、断面コ字形のレール１６から食み出した断面ト字形の移動体先端部１８に縫合又は貫設等で固定し、帽子への支点５とする。
断面コ字形のレール１６の前端より２ｃｍ後方に移動止め１５を設ける。
使用法は、これまでの説明で明らかであるから省く。
【実施例６】
【００２０】  実施例６を図７、図８及び図１４に基づいて説明する。
図７及び図８は側面図である。図１４は要部拡大斜視図である。
支点移動部９をファスナー又はチャック１９とし、その前端を腰１の下周縁又はつば２の内周縁で、腰１の側面の前後の中央４又はつば２の横平面の前後の中央４に縫合、貫設又は接着等で固定し、その後端は、それより６ｃｍ後方の腰１の下周縁又はつば２の内周円に縫合、貫設又は接着等で固定する。又は、ファスナー又はチャック１９の長手方向と腰１の下周縁又はつば２の内周縁に沿って縫合又は接着してもよい。顎紐６は、ファスナー又はチャック１９を動かす鈕２０に縫合又は貫設等で固定し、帽子への支点５とする。
ファスナー又はチャック１９の前端より２ｃｍ後方に移動止め１５を設ける。
ファスナー又はチャック１９は開閉の機能は不用で、鈕２０が前後に移動ができればよい。
使用法は、これまでの説明で明らかであるから省く。
【図面の簡単な説明】
【００２１】
【図１】  本発明を実施するための最良の形態を示す側面図である。
【図２】  本発明を実施するための最良の形態を示す側面図である。
【図３】  実施例１を示す側面図である。
【図４】  実施例１を示す側面図である。
【図５】  実施例２を示す側面図である。
【図６】  実施例２を示す側面図である。
【図７】  実施例３、４、５及び６を示す側面図である。
【図８】  実施例３、４、５及び６を示す側面図である。
【図９】  実施例４を示す要部拡大斜視図である。
【図１０】  実施例４を示す要部拡大側面図である。
【図１１】  実施例４を示す図１０のＡ−Ａ断面図である。
【図１２】  実施例５を示す要部拡大側面図である。
【図１３】  実施例５を示す図１２のＡ−Ａ断面図である。
【図１４】  実施例６を示す要部拡大斜視図である。
【図１５】  従来の帽子を示す側面図である。
【図１６】  従来の帽子を示す側面図である。
【図１７】  従来の帽子を示す側面図である。
【符号の説明】
【００２２】１    腰
２    つば
３    ひさし
４    前後の中央
５    帽子への支点
６    顎紐
７    支点変更紐
８    支点変更帯
９    支点移動部
１０  紐
１１  帯
１２  金属
１３  プラスチック
１４  支持部
１５  移動止め
１６  断面コ字形のレール
１７  断面ト字形の移動体
１８  断面ト字形の移動体先端部
１９  ファスナー又はチャック
２０  鈕
【図１】
2009275336.tif 000004
【図２】
2009275336.tif 000005
【図３】
2009275336.tif 000006
【図４】
2009275336.tif 000007
【図５】
2009275336.tif 000008
【図６】
2009275336.tif 000009
【図７】
2009275336.tif 000010
【図８】
2009275336.tif 000011
【図９】
2009275336.tif 000012
【図１０】
2009275336.tif 000013
【図１１】
2009275336.tif 000014
【図１２】
2009275336.tif 000015
【図１３】
2009275336.tif 000016
【図１４】
2009275336.tif 000017
【図１５】
2009275336.tif 000018
【図１６】
2009275336.tif 000019
【図１７】
2009275336.tif 000020